(57)【特許請求の範囲】
【請求項１】
装置であって、
モバイルネットワークの基地局機能を提供するようになっている基地局手段と、
前記基地局手段に動作可能に接続された、前記装置に所定の測定の結果をレポートするためのユーザ装置を選択するようになっている選択手段と、
を備え、前記選択手段は、前記ユーザ装置のモビリティを制御するモビリティ管理エンティティから受け取った前記ユーザ装置のローミング情報が、前記ユーザ装置のユーザが前記モバイルネットワークに加入していることを示す場合にのみ前記ユーザ装置を選択するようになっており、該ローミング情報が、該ユーザ装置のユーザが該モバイルネットワークに加入していないことを示す場合には、前記装置に所定の測定の結果をレポートするための前記選択手段による選択から該ユーザ装置が除外される、
ことを特徴とする装置。
【請求項２】
前記ローミング情報は、前記ユーザが複数の所定のモバイルネットワークのうちの１つに加入していることを示すフラグを含み、前記選択手段は、前記フラグに応じて前記ユーザを選択するようになっている、
ことを特徴とする請求項１に記載の装置。
【請求項３】
前記ローミング情報は、前記ユーザが加入しているホームモバイルネットワークの識別符号を含み、前記装置は、
前記ホームモバイルネットワークの前記識別符号を、複数の所定のモバイルネットワークの各々のそれぞれの識別符号と比較するようになっている比較手段をさらに備え、
前記選択手段は、前記比較手段が、前記ホームモバイルネットワークの前記識別符号が前記所定のモバイルネットワークのうちの１つの識別符号と一致することを示す場合にのみ前記ユーザ装置を選択するようになっている、
ことを特徴とする請求項１又は２に記載の装置。
【請求項４】
前記ローミング情報を前記モビリティ管理エンティティの初期コンテキスト設定要求メッセージで受け取るようになっている、
ことを特徴とする請求項１又は２に記載の装置。
【請求項５】
装置であって、
モバイルネットワークの基地局に動作可能に接続されたユーザ装置のためのモビリティ管理エンティティ機能を提供するようになっているモビリティ管理手段と、
前記ユーザ装置のユーザが前記モバイルネットワークに加入していることを、該ユーザ装置のローミング情報が示す場合にのみ、前記基地局が該ユーザ装置を選択可能となり、該ユーザ装置のユーザが該モバイルネットワークに加入していないことを該ローミング情報が示す場合には、該基地局に所定の測定の結果をレポートするための選択から該ユーザ装置が除外されるように、該ユーザ装置のユーザが該モバイルネットワークに加入しているか否かを示す該ユーザ装置の該ローミング情報を該基地局に提供するようになっている、ローミング情報提供手段と、
を備えることを特徴とする装置。
【請求項６】
前記ローミング情報は、前記ユーザが加入しているホームモバイルネットワークの識別符号を含む、
ことを特徴とする請求項５に記載の装置。
【請求項７】
前記ユーザが加入しているホームモバイルネットワークの識別符号を、複数の所定のモバイルネットワークのそれぞれの識別符号と比較するようになっている比較手段をさらに備え、
前記ローミング情報は、前記比較手段による前記比較の結果に依存する値を有するフラグを含む、
ことを特徴とする請求項５又は６に記載の装置。
【請求項８】
前記ローミング情報提供手段は、前記ローミング情報を前記モビリティ管理手段の初期コンテキスト設定要求メッセージで提供するようになっている、
ことを特徴とする請求項５又は６に記載の装置。
【請求項９】
方法であって、
モバイルネットワークの基地局機能を提供するステップと、
前記方法を実行する装置に動作可能に接続された、該装置に所定の測定の結果をレポートするためのユーザ装置を選択するステップと、
を含み、前記選択するステップは、前記ユーザ装置のモビリティを制御するモビリティ管理エンティティから受け取った前記ユーザ装置のローミング情報が、前記ユーザ装置のユーザが前記モバイルネットワークに加入していることを示す場合にのみ前記ユーザ装置を選択するようになっており、該ローミング情報が、該ユーザ装置のユーザが該モバイルネットワークに加入していないことを示す場合には、前記装置に所定の測定の結果をレポートするための選択から該ユーザ装置が除外される、
ことを特徴とする方法。
【請求項１０】
方法であって、
モバイルネットワークの基地局に動作可能に接続されたユーザ装置のためのモビリティ管理エンティティ機能を提供するステップと、
前記ユーザ装置のユーザが前記モバイルネットワークに加入していることを、該ユーザ装置のローミング情報が示す場合にのみ、前記基地局が該ユーザ装置を選択可能となり、該ユーザ装置のユーザが該モバイルネットワークに加入していないことを該ローミング情報が示す場合には、該基地局に所定の測定の結果をレポートするための選択から該ユーザ装置が除外されるように、該ユーザ装置のユーザが該モバイルネットワークに加入しているか否かを示す該ユーザ装置の該ローミング情報を該基地局に提供するステップと、
を含むことを特徴とする方法。
【請求項１１】
前記ローミング情報は、前記ユーザが加入しているホームモバイルネットワークの識別符号を含む、
ことを特徴とする請求項１０に記載の方法。
【請求項１２】
前記ユーザが加入しているホームモバイルネットワークの識別符号を、複数の所定のモバイルネットワークの各々のそれぞれの識別符号と比較するステップをさらに含み、
前記ローミング情報は、前記比較するステップの結果に依存する値を有するフラグを含む、
ことを特徴とする請求項１０又は１１に記載の方法。
【請求項１３】
装置のプロセッサ上で実行された時に、請求項９又は１０に記載の方法を該装置に実行させるように構成されたソフトウェアコード部分を有するプログラムを含む、
ことを特徴とするコンピュータプログラム。
【発明の詳細な説明】
【技術分野】
【０００１】
本発明は、ドライブ試験の省力化（ＭＤＴ）に関連する装置、方法、システム及びコンピュータプログラム製品に関する。より詳細には、本発明は、ＭＤＴ測定を行うためのユーザ装置（ＵＥ）を選択するための装置、方法、システム及びコンピュータプログラム製品に関する。
【背景技術】
【０００２】
本出願は、第３世代パートナシッププロジェクト（３ＧＰＰ）ネットワークの運用及び管理を背景とするものである。地域的ＭＤＴキャンペーンでは、いくつかのＵＥ測定を自動的に収集して測定結果をｅＮＢに送信することでネットワークパフォーマンスのモニタリングを容易にし、結果的に通信事業者が手動で行っているコストの高いドライブ試験に取って代われるようにすることが示されている。地域的ＭＤＴ測定を行うＵＥは、ｅＮｏｄｅＢ（ｅＮＢ）により選択される。ＵＥ内で測定が有効になっていない場合には、ｅＮＢが、ＵＥ内におけるこれらの測定を有効にすることができる。
【０００３】
ｅＮＢは、ＭＤＴデータの収集及び送信のために、ＵＥの位置などの、主に無線アクセスパラメータによって決まるＭＤＴ選択基準を満たすＵＥを選択することができる。このＭＤＴデータの収集にローミングユーザが参加できるか否かを定めた基準は存在しない。ローミングユーザの端末がＭＤＴ対応である場合、この端末がＭＤＴセッションのために自動的に選択される可能性がある。考慮できるのは地域的な規制のみであり、ユーザのプライバシ面は考慮されない。
【０００４】
しかしながら、ユーザのプライバシに関しては、ローミングユーザには、ホームユーザとは異なる規制が適用されることがある。例えば、米国以外の国における米国加入ローミングを有する米国在住者には、その地域の加入者よりも厳しい規制を適用する必要があり得る。従って、その地域の通信事業者は、無意識のうちにローミングユーザのプライバシを侵害してしまうことがある。
【０００５】
しかしながら、ＵＥの位置エリアなどの、現在のＭＤＴ選択の選択基準では、ＵＥの選択はｅＮＢ次第であり、ｅＮＢは、所与のユーザがローミングを行っているか否かが分からない。
【０００６】
１つの先行技術の解決策では、ＭＤＴデータの収集及び送信に関するユーザの承諾が得られているかどうかを示すことが提案されている。しかしながら、ホームネットワークにおいて得られた承諾を訪問先ネットワークでも同様に解釈できるとは限らない。異なる国では、ユーザのプライバシに対する規制も異なることがあり、ホーム加入サーバ（ＨＳＳ）などから受け取られた１ビットなどの指示が誤用されることもある。さらに、ＭＤＴ構成メッセージを送信する前に毎回ユーザの承諾を求めれば、ホームＰＬＭＮ（ＨＰＬＭＮ）と訪問先ＰＬＭＮ（ＶＰＬＭＮ）との間の一連のＣＮ−ＲＡＮインターフェイスの関与が必要になり、従ってあまり望ましい解決策ではない。また、地域的ＭＤＴの有用性は極めて危うくなると思われ、すなわち今までのところ、地域的ＭＤＴの目的は、ランダムに選択された匿名ユーザから提供されるネットワークパフォーマンスに関する統計データを収集することであるのに対し、通信事業者は、選択前に毎回全てのユーザにユーザの承諾について尋ねることにより、「ユーザの承諾」を得るために何らかの形でユーザに接触し、多くのさらなるシグナリングを導入し、実際にユーザ設定を識別する（匿名性状態を侵害する）必要が生じるようになる。
【発明の概要】
【発明が解決しようとする課題】
【０００７】
本発明は、先行技術を改善することを目的とする。
【課題を解決するための手段】
【０００８】
本発明の第１の態様では装置を提供し、この装置は、訪問先モバイルネットワークの基地局機能を提供するようになっている基地局手段と、この基地局手段に動作可能に接続された、装置に所定の測定の結果をレポートするためのユーザ装置を選択するようになっている選択手段とを備え、選択手段は、ユーザ装置のモビリティを制御するモビリティ管理エンティティから受け取ったユーザ装置のローミング情報が、ユーザ装置のユーザが１又はそれ以上の所定のモバイルネットワークのうちの１つに加入していることを示す場合にのみユーザ装置を選択するようになっている。
【０００９】
この装置では、所定のモバイルネットワークが、訪問先モバイルネットワークを含むことができる。
【００１０】
この装置では、訪問先モバイルネットワークから成る所定のモバイルネットワークが１つのみ存在することができる。
【００１１】
この装置では、ローミング情報が、ユーザが所定のモバイルネットワークのうちの１つに加入していることを示すフラグを含むことができ、選択手段が、このフラグに応じてユーザを選択するようにすることができる。
【００１２】
この装置では、ローミング情報が、ユーザが加入しているホームモバイルネットワークの識別符号を含むことができ、装置は、このホームモバイルネットワークの識別符号を、所定のモバイルネットワークの各々のそれぞれの識別符号と比較するようになっている比較手段をさらに備えることができ、選択手段は、比較手段が、ホームモバイルネットワークの識別符号が所定のモバイルネットワークのうちの１つの識別符号と一致することを示す場合にのみユーザ装置を選択するようにすることができる。
【００１３】
この装置は、ローミング情報をモビリティ管理エンティティの初期コンテキスト設定要求メッセージで受け取るようにすることができる。
【００１４】
この装置は、選択されたユーザ装置において所定の測定を有効にするようになっている有効化手段をさらに備えることができる。
【００１５】
この装置では、所定の測定を、ドライブ試験の省力化のための測定とすることができる。
【００１６】
本発明の第２の態様では装置を提供し、この装置は、訪問先モバイルネットワークの基地局機能を提供するようになっている基地局プロセッサと、この基地局プロセッサに動作可能に接続された、装置に所定の測定の結果をレポートするためのユーザ装置を選択するようになっている選択プロセッサとを備え、選択プロセッサは、ユーザ装置のモビリティを制御するモビリティ管理エンティティから受け取ったユーザ装置のローミング情報が、ユーザ装置のユーザが１又はそれ以上の所定のモバイルネットワークのうちの１つに加入していることを示す場合にのみユーザ装置を選択するようになっている。
【００１７】
この装置では、所定のモバイルネットワークが、訪問先モバイルネットワークを含むことができる。
【００１８】
この装置では、訪問先モバイルネットワークから成る所定のモバイルネットワークが１つのみ存在することができる。
【００１９】
この装置では、ローミング情報が、ユーザが所定のモバイルネットワークのうちの１つに加入していることを示すフラグを含むことができ、選択プロセッサが、このフラグに応じてユーザを選択するようにすることができる。
【００２０】
この装置では、ローミング情報が、ユーザが加入しているホームモバイルネットワークの識別符号を含むことができ、装置は、ホームモバイルネットワークの識別符号を、所定のモバイルネットワークの各々のそれぞれの識別符号と比較するようになっている比較プロセッサをさらに備えることができ、選択プロセッサは、比較プロセッサが、ホームモバイルネットワークの識別符号が所定のモバイルネットワークのうちの１つの識別符号と一致することを示す場合にのみユーザ装置を選択するようにすることができる。
【００２１】
この装置は、ローミング情報をモビリティ管理エンティティの初期コンテキスト設定要求メッセージで受け取るようにすることができる。
【００２２】
この装置は、選択されたユーザ装置において所定の測定を有効にするようになっている有効化手段をさらに備えることができる。
【００２３】
この装置では、所定の測定を、ドライブ試験の省力化のための測定とすることができる。
【００２４】
本発明の第３の態様では装置を提供し、この装置は、訪問先モバイルネットワークの基地局に動作可能に接続されたユーザ装置のためのモビリティ管理エンティティ機能を提供するようになっているモビリティ管理手段と、ユーザ装置のユーザが１又はそれ以上の所定のモバイルネットワークのうちの１つに加入しているか否かを示すユーザ装置のローミング情報を基地局に提供するようになっているローミング情報提供手段とを備える。
【００２５】
この装置では、所定のモバイルネットワークが、訪問先モバイルネットワークを含むことができる。
【００２６】
この装置では、訪問先モバイルネットワークから成る所定のモバイルネットワークが１つのみ存在することができる。
【００２７】
この装置では、ローミング情報が、ユーザが加入しているホームモバイルネットワークの識別符号を含むことができる。
【００２８】
この装置は、ユーザが加入しているホームモバイルネットワークの識別符号を、所定のモバイルネットワークの各々のそれぞれの識別符号と比較するようになっている比較手段をさらに備えることができ、ローミング情報は、比較手段による比較の結果に依存する値を有するフラグを含むことができる。
【００２９】
ローミング情報提供手段は、ローミング情報をモビリティ管理手段の初期コンテキスト設定要求メッセージで提供するようにすることができる。
【００３０】
本発明の第４の態様では装置を提供し、この装置は、訪問先モバイルネットワークの基地局に動作可能に接続されたユーザ装置のためのモビリティ管理エンティティ機能を提供するようになっているモビリティ管理プロセッサと、ユーザ装置のユーザが１又はそれ以上の所定のモバイルネットワークのうちの１つに加入しているかどうかを示すユーザ装置のローミング情報を基地局に提供するようになっているローミング情報提供プロセッサとを備える。
【００３１】
この装置では、所定のモバイルネットワークが、訪問先モバイルネットワークを含むことができる。
【００３２】
この装置では、訪問先モバイルネットワークから成る所定のモバイルネットワークが１つのみ存在することができる。
【００３３】
この装置では、ローミング情報が、ユーザが加入しているホームモバイルネットワークの識別符号を含むことができる。
【００３４】
この装置は、ユーザが加入しているホームモバイルネットワークの識別符号を、所定のモバイルネットワークの各々のそれぞれの識別符号と比較するようになっている比較プロセッサをさらに備えることができ、ローミング情報は、比較プロセッサによる比較の結果に依存する値を有するフラグを含むことができる。
【００３５】
この装置では、ローミング情報提供プロセッサが、ローミング情報をモビリティ管理プロセッサの初期コンテキスト設定要求メッセージで提供するようにすることができる。
【００３６】
本発明の第５の態様では方法を提供し、この方法は、訪問先モバイルネットワークの基地局機能を提供するステップと、この方法を実行する装置に動作可能に接続された、装置に所定の測定の結果をレポートするためのユーザ装置を選択するステップとを含み、この選択するステップは、ユーザ装置のモビリティを制御するモビリティ管理エンティティから受け取ったユーザ装置のローミング情報が、ユーザ装置のユーザが１又はそれ以上の所定のモバイルネットワークのうちの１つに加入していることを示す場合にのみユーザ装置を選択するようになっている。
【００３７】
この方法では、所定のモバイルネットワークが、訪問先モバイルネットワークを含むことができる。
【００３８】
この方法では、訪問先モバイルネットワークから成る所定のモバイルネットワークが１つのみ存在することができる。
【００３９】
この方法では、ローミング情報が、ユーザが所定のモバイルネットワークのうちの１つに加入していることを示すフラグを含むことができ、ユーザ装置を選択するステップは、このフラグに依存することができる。
【００４０】
この方法では、ローミング情報が、ユーザが加入しているホームモバイルネットワークの識別符号を含むことができ、この方法は、ホームモバイルネットワークの識別符号を、所定のモバイルネットワークの各々のそれぞれの識別符号と比較するステップをさらに含むことができ、比較するステップにより、ホームモバイルネットワークの識別符号が所定のモバイルネットワークのうちの１つの識別符号と一致することが示された場合にのみユーザ装置を選択することができる。
【００４１】
この方法は、ローミング情報をモビリティ管理エンティティの初期コンテキスト設定要求メッセージで受け取るステップをさらに含むことができる。
【００４２】
この方法は、選択されたユーザ装置において所定の測定を有効にするステップをさらに含むことができる。
【００４３】
この方法では、所定の測定を、ドライブ試験の省力化のための測定とすることができる。
【００４４】
この方法は、ユーザ装置を選択する方法とすることができる。
【００４５】
本発明の第６の態様では方法を提供し、この方法は、訪問先モバイルネットワークの基地局に動作可能に接続されたユーザ装置のためのモビリティ管理エンティティ機能を提供するステップと、ユーザ装置のユーザが１又はそれ以上の所定のモバイルネットワークのうちの１つに加入しているか否かを示すユーザ装置のローミング情報を基地局に提供するステップとを含む。
【００４６】
この方法では、所定のモバイルネットワークが、訪問先モバイルネットワークを含むことができる。
【００４７】
この方法では、訪問先モバイルネットワークから成る所定のモバイルネットワークが１つのみ存在することができる。
【００４８】
この方法では、ローミング情報が、ユーザが加入しているホームモバイルネットワークの識別符号を含むことができる。
【００４９】
この方法は、ユーザが加入しているホームモバイルネットワークの識別符号を、所定のモバイルネットワークの各々のそれぞれの識別符号と比較するステップをさらに含むことができ、ローミング情報は、この比較するステップの結果に依存する値を有するフラグを含むことができる。
【００５０】
この方法では、ローミング情報を初期コンテキスト設定要求メッセージで提供することができる。
【００５１】
この方法は、ローミング情報を提供する方法とすることができる。
【００５２】
本発明の第７の態様では、装置のプロセッサ上で実行された時に、第５の態様及び第６の態様のいずれか一方に従う方法を実行するように構成されたソフトウェアコード部分を有するプログラムを含むコンピュータプログラム製品を提供する。
【００５３】
このコンピュータプログラム製品では、コンピュータプログラム製品が、ソフトウェアコード部分を記憶するコンピュータ可読媒体を含むことができ、及び／又はプログラムをプロセッサのメモリに直接ロード可能とすることができる。
【００５４】
システムは、第１の態様及び第２の態様のいずれかに従う基地局装置と、第３の態様及び第４の態様のいずれかに従うモビリティ管理装置とを備えることができ、基地局装置のモビリティ管理エンティティは、モビリティ管理装置を含み、モビリティ管理装置の基地局は、基地局装置を含み、基地局装置が受け取るローミング情報は、モビリティ管理装置により提供されるローミング情報に基づく。
【００５５】
従って、ユーザが訪問先ネットワークに加入しているＵＥ、又は特定の外部ネットワークのローミングユーザのＵＥのみがＭＤＴ測定構成を実行することができ、その他のユーザについては、これらのユーザを選択から除外することによりプライバシが保たれる。
【００５６】
１つの実施形態では、異なるプライバシポリシー、及び／又は規制ルール、及び／又はセキュリティ面に従うための通信事業者間の複雑な通信及び通信事業者側の複雑な手続きを避けるために、ＭＤＴデータの収集及び送信から全てのローミングユーザを除外する。
【００５７】
上記の修正例は、いずれも代替例を除外すると明記していない限り、参照するそれぞれの態様に対して単独で又は組み合わせて適用することができると理解されたい。
【００５８】
本発明の好ましい実施形態についての以下の詳細な説明を添付図面と併せて理解することにより、さらなる詳細、特徴、目的及び利点が明らかになる。
【図面の簡単な説明】
【００５９】
【図１】本発明の実施形態による装置を示す図である。
【図２】本発明の実施形態による装置を示す図である。
【図３】本発明の実施形態によるシステムを示す図である。
【図４】本発明の実施形態による方法を示す図である。
【図５】本発明の実施形態による方法を示す図である。
【発明を実施するための形態】
【００６０】
以下、添付図面を参照しながら本発明の特定の実施形態を詳細に説明するが、特に記載していない限り、これらの実施形態の特徴は、互いに自由に組み合わせることができる。しかしながら、いくつかの実施形態の説明は一例として行うものにすぎず、決して開示する詳細に本発明を限定するものとして理解すべきではないと明確に理解されたい。
【００６１】
さらに、場合によっては装置のみ又は方法のみしか説明しないが、装置は、対応する方法を実行するように構成されると理解されたい。
【００６２】
以降、異なるネットワークを区別するために以下の名称を使用する。
−  訪問先ネットワーク：ユーザ装置が接続されているｅＮＢとＭＭＥのネットワーク
−  ホームネットワーク：ユーザ装置のユーザが加入しているネットワーク
−  所定のネットワーク：ユーザがＭＤＴキャンペーンに参加できるネットワーク
【００６３】
場合によっては、これらのネットワークが同じ場合もあり、とりわけユーザがローミングを行っていない場合には、訪問先ネットワークがユーザのホームネットワークである。
【００６４】
本発明の実施形態によれば、ＭＭＥ側で分かっている加入者のローミング状態がｅＮＢに送信される。ｅＮＢは、加入者のローミング状態が分からない場合、ＭＤＴデータ収集のために所与のユーザを選択できるか否かを判定することができる。
【００６５】
ＭＭＥからｅＮＢへのローミング状態の送信は、Ｓ１シグナリング接続を介して行えることが好ましい。従って、Ｓ１初期コンテキスト設定要求メッセージに情報要素（ＩＥ）を加えることができる。このＩＥは、加入者のローミング状態（ホーム加入者であるか、それともローミング加入者であるか）を含むことができる。このローミング状態は、フラグとすることができる。いくつかの実施形態では、ＩＥが、ローミング状態に加え又はローミング状態の代わりに、全ての加入者、又はローミング加入者のみのいずれかの加入者のＨＰＬＭＮの識別符号を含むことができる。このＨＰＬＭＮの識別符号をｅＮＢに提供することにより、特定の外部ネットワークのローミング加入者に関するＭＤＴデータ収集を可能にし、ユーザのプライバシ、規制及び／又はセキュリティ要件が満たされるように通信事業者間の対応する合意を整えることができる。
【００６６】
いくつかの実施形態では、ＭＭＥからｅＮＢにローミング状態情報及び／又はＨＰＬＭＮの識別符号を送信するために、ＭＭＥとｅＮＢの間に新たなインターフェイスを実装することができる。
【００６７】
図１に、本発明の実施形態による装置１００を示す。装置１００は、ｅＮｏｄｅＢなどの基地局とすることができる。図４には、本発明の実施形態による方法を示す。図１の装置は、図４の方法を実行することができるが、この方法に限定されるものではない。図４の方法は、図１の装置により実行することができるが、この装置により実行されることに限定されるものではない。
【００６８】
装置１００は、基地局手段１１０及び選択手段１２０を備える。
【００６９】
基地局手段１１０は、モバイルネットワークの基地局機能を提供するようになっている（Ｓ１１０）。例えば、基地局手段１１０は、そのカバー範囲内のＵＥとの無線接続に関与することができる。選択手段１２０は、ＭＤＴキャンペーンのためのユーザ装置を選択するようになっている。ここで言うＭＤＴキャンペーンとは、ＭＤＴ測定を収集して送信することを意味し、ＵＥ内におけるＭＤＴ測定の有効化を含むこともできる。選択手段１２０は、ＭＤＴ測定のための地域的基準及びＵＥの能力などの様々な基準を適用することができる。また、選択手段１２０は、ユーザがホームユーザである（すなわち、基地局のネットワークに加入している）かどうか、又はＭＤＴ測定が可能なネットワークに加入しているローミングユーザであるかどうかをチェックする（Ｓ１２０）。これらの条件の一方が満たされている場合、このＵＥは、ＭＤＴ測定キャンペーンの潜在的候補となる（Ｓ１３０）。このＵＥは、地域基準などの他の基準も満たされている場合、ＭＤＴキャンペーンに参加する。
【００７０】
一方、ユーザがローミングを行っていて、訪問先ネットワークとは異なるＭＤＴ測定が可能でない外部ネットワークに加入している場合、このユーザは、ＭＤＴ測定キャンペーンから除外される（Ｓ１４０）。
【００７１】
選択手段１２０は、異なる基準（地域的基準、ＭＤＴ能力、ローミング状態など）を任意の順序でチェックし、全ての基準が満たされた場合にＵＥを選択することができる。
【００７２】
図２に、本発明の実施形態による装置２００を示す。装置２００は、ＭＭＥなどのモビリティ管理エンティティとすることができる。図５には、本発明の実施形態による方法を示す。図２の装置は、図５の方法を実行することができるが、この方法に限定されるものではない。図５の方法は、図２の装置により実行することができるが、この装置により実行されることに限定されるものではない。
【００７３】
装置２００は、モビリティ管理手段２１０及びローミング情報提供手段２２０を備える。
【００７４】
モビリティ管理手段２１０は、モバイルネットワークのモビリティ管理エンティティ機能を提供する（Ｓ２１０）ようになっている。例えば、モビリティ管理手段２１０は、（基地局を介して）装置２００に接続されたＵＥのモビリティに関する側面を制御することに関与することができる。さらに、モビリティ管理手段２１０は、ＵＥの制御プレーン接続を取り扱うことに関与することもできる。ローミング情報提供手段２２０は、接続されたｅＮｏｄｅＢにＵＥのローミング状態を提供する（Ｓ２２０）ようになっている。
【００７５】
図３に、本発明の実施形態によるシステムを示す。このシステムは、図１に示すような基地局装置１００、及び図２に示すようなモビリティ管理装置を備える。モビリティ管理装置２００は、基地局装置１００に接続されたＵＥのモビリティに関する側面を制御する。さらに、モビリティ管理装置１００は、基地局装置２００にＵＥのローミング情報を提供し、基地局装置２００がこのローミング情報を使用して、ＭＤＴキャンペーンのためにＵＥを選択すること、又はＭＤＴキャンペーンからＵＥを除外することができる。
【００７６】
いくつかの実施形態によれば、モビリティ管理装置２００により提供されるローミング情報が、ＭＤＴキャンペーンのためにＵＥを選択できるか否かを示すフラグのみで構成される。この場合、モビリティ管理装置は、ＵＥのユーザがモビリティ管理装置のホームネットワーク内に存在するかどうか（訪問先ネットワーク、すなわちモビリティ管理装置が属するネットワークに加入しているかどうか）をチェックする。ユーザがローミングユーザであり、訪問先ネットワークとは異なるいくつかの所定のネットワークのユーザにもＭＤＴ測定が許可されている場合、モビリティ管理装置２００は、（ローミング）ユーザがこれらの所定のネットワークの１つに属しているかどうかをさらにチェックする。このために、ユーザのホームネットワークの識別符号が、所定のネットワークの識別符号の１つと一致するかどうかをチェックすることができる。これらの実施形態では、基地局装置は、モビリティ管理装置から受け取ったフラグの評価のみを行えばよい。
【００７７】
いくつかの実施形態によれば、ＭＭＥのローミング情報が、ユーザのホームネットワークの識別符号を含むことができる。この場合、ｅＮＢは、ユーザがローミングを行っているかどうか、又はユーザがＭＤＴ測定を許可されている所定のネットワークの１つに属するかどうかをチェックすることができる。
【００７８】
いくつかの実施形態によれば、ローミング情報が、加入者がローミングを行っているかどうかを示すフラグ、さらにはユーザのホームネットワークの識別符号を含むことができる。いくつかの実施形態では、ユーザがローミングユーザである場合、後者のみを提供すればよい。
【００７９】
ローミング基準に従ってＭＤＴ測定が可能であるかどうか（すなわちホームユーザであるかどうか、又は所定のネットワークのローミングユーザであるかどうか）のチェックがモビリティ管理装置内で行われる場合、たとえＵＥが絶対にＭＤＴキャンペーンの候補として見なされない場合（例えば、このＵＥがＭＤＴキャンペーンの範囲内に存在しない場合、又はＭＤＴ対応でない場合）でも、（少なくともハンドオーバ毎に）このチェックを頻繁に行う必要がある。その反面、ＭＤＴ測定が可能な所定のネットワークのリストの管理が簡略化される。
【００８０】
ローミング基準に従ってＭＤＴ測定が可能であるかどうかのチェックが基地局装置内で行われる場合、ＭＤＴキャンペーンのためのＵＥを選択するための（地域的基準などの）他の基準が満たされた場合にのみこのチェックが行われ、従ってネットワーク上の総処理負荷を軽減することができる。さらに、モビリティ管理装置に接続された複数のｅＮＢにおいてＭＤＴキャンペーンが有効な場合、処理負荷が分散される。その反面、ＭＤＴ測定が可能な所定のネットワークのリストの管理が複雑になる。
【００８１】
本発明の実施形態の説明は、３ＧＰＰリリース１０ネットワークに関して行っている。しかしながら、ＭＤＴと同様の機能が実装されれば、その他の３ＧＰＰリリースのｅＮＢ、ＭＭＥ及びシステム、並びにユニバーサル移動体通信システム（ＵＭＴＳ）、グローバルパケット無線システム（ＧＰＲＳ）、又はロングタームエボリューション−アドバンスト（ＬＴＥ−Ａ）などのその他のモバイルネットワークの対応するエンティティにおいて本発明の実施形態を採用することができる。これに応じて、いくつかの実施形態では、ｅＮｏｄｅＢの代わりに、ＢＴＳなどの、それぞれのネットワークの対応する基地局を採用することができる。いくつかの実施形態では、ユーザ装置の代わりに、スマートフォン、携帯電話機、ラップトップなどの別のタイプの端末を採用することができる。
【００８２】
ローミング状態を示すフラグは、加入者がローミング加入者であるか否かについての論理的２進情報を提供するいずれかの情報として理解することができる。例えば、このフラグは、１ビット又はそれ以上のビットを含むことができる。
【００８３】
モバイルネットワークの識別符号が一致することは、これらの識別符号が同じものであることを意味することができる。しかしながら、いくつかの実施形態では、一致することが、ユーザの加入ネットワークの識別符号が、ＭＤＴデータの送信が可能な所定のホームモバイルネットワークの識別符号のうちの１つの識別符号に一義的に関連し得ることを意味する場合もある。例えば、所定のホームモバイルネットワークの識別符号は、数値範囲を含むことも、又はそれぞれのネットワークの完全な識別符号の一部しか含まないこともある。
【００８４】
また、いくつかの実施形態では、ユーザの加入モバイルネットワークの識別符号が所定の識別符号に一致するかどうかについての「ホワイトリスト」チェックの代わりに、ユーザの加入モバイルネットワークの識別符号が、送信を除外した所定のモバイルホームネットワークの識別符号に一致するかどうかをチェックする「ブラックリスト」チェックを行うこともできる。このような実施形態では、加入モバイルネットワークの識別符号が所定の識別符号のいずれとも一致しない場合にのみＵＥが選択される。
【００８５】
いくつかの実施形態では、測定結果の送信、及び実施形態によっては対応する測定の有効化を、加入者のローミング状態に依存して行うべきである場合、ＭＤＴ測定の代わりに、ＵＥにおいて利用可能な他の測定を行うことができる。このような測定の例として、全地球測位システム（ＧＰＳ）に基づくＵＥの位置測定を挙げることができ、この位置測定を非ローミング加入者及び特定の外部ネットワークのローミング加入者に関してのみｅＮＢに転送し、プライバシポリシー、規制ルール及び／又はセキュリティ面により、このＧＰＳデータを訪問先通信事業者に送信できるようにすることができる。
【００８６】
特に明記していないとしても、又は文脈から明確になっていないとしても、２つのエンティティが異なるという記載は、モバイルネットワーク内におけるこれらのエンティティの呼称が異なることを意味する。このことは、これらのエンティティが異なるハードウェアに基づくことを意味するとは限らない。すなわち、本説明において記載するエンティティの各々が異なるハードウェアに基づくこともあり、或いはエンティティの一部又は全部が同じハードウェアに基づくこともある。
【００８７】
従って、上記の説明によれば、本発明の例示的な実施形態が、例えば基地局又はその構成要素、基地局を具体化する装置、基地局を制御し及び／又は動作させる方法、基地局を制御し及び／又は動作させる（単複の）コンピュータプログラム、並びにこのような（単複の）コンピュータプログラムを保持して（単複の）コンピュータプログラム製品を形成する媒体を提供することが明らかなはずである。さらに、本発明の例示的な実施形態は、例えばモビリティ管理エンティティ又はその構成要素、モビリティ管理エンティティを具体化する装置、モビリティ管理エンティティを制御し及び／又は動作させる方法、モビリティ管理エンティティを制御し及び／又は動作させる（単複の）コンピュータプログラム、このような（単複の）コンピュータプログラムを保持して、モビリティ管理エンティティを制御し及び／又は動作させる（単複の）コンピュータプログラム製品を形成する媒体、並びにこのような（単複の）コンピュータプログラムを保持して（単複の）コンピュータプログラム製品を形成する媒体も提供する。
【００８８】
上述したブロック、装置、システム、技術又は方法のいずれかの実装は、非限定的な例として、ハードウェア、ソフトウェア、ファームウェア、専用回路又はロジック、汎用ハードウェア又はコントローラ又はその他のコンピュータ装置、或いはこれらの何らかの組み合わせとしての実装を含む。
【００８９】
上述した内容は、現在のところ本発明の好ましい実施形態と見なされるものであると理解されたい。しかしながら、この好ましい実施形態の説明は、ほんの一例として示したものであり、添付の特許請求の範囲により定義される本発明の範囲から逸脱することなく、様々な修正を加えることができる。
【符号の説明】
【００９０】
Ｓ１１０  基地局機能を提供
Ｓ１２０  ホーム加入者であるか、又は許可されたローミングユーザであるか
Ｓ１３０  ＵＥをＭＤＴキャンペーンの候補として選択
Ｓ１４０  ＵＥをＭＤＴキャンペーンから除外
【図１】
0005774768.tif 000002
【図２】
0005774768.tif 000003
【図３】
0005774768.tif 000004
【図４】
0005774768.tif 000005
【図５】
0005774768.tif 000006